(57)【要約】
【課題】　物置板の高さが便利に調整できるチューブ製組合せ式棚を提供する。
【解決手段】　物置板３を組合わせるための棚脚２には、物置板３の高さを調整できるための複数の係止孔４が開けられており、横置きチューブ５の端部に設けた係止ブロックが係止孔４内に係止される。棚脚２に開けた係止孔４の下半分は上方の幅が下方の幅よりも広い逆台形を呈し、なお、係止ブロックの側面は係止孔４の形状とちょうど合うため、選択された係止孔４に横置きチューブ５にある係止ブロック５を嵌め込むことが可能である。組み立ては、係止ブロックを係止孔４内に嵌め込むことによって実施するため、物置棚１またはベッド棚への適用は、その物置板３またはマッド置き板の高さの調整が便利で快速である。
【選択図】　　図６
0003100584.tif 000002
【実用新案登録請求の範囲】
【請求項１】
　物置板を組合わせるための棚脚には、物置板の高さを調整できるための複数の係止孔が開けられており、横置きチューブの端部に設けた係止ブロックが前記係止孔内に係止されるチューブ製組合せ式棚において、
　前記棚脚に開けた係止孔の下半分は上方の幅が下方の幅よりも広い逆台形を呈し、係止ブロックの側面は前記係止孔の形状とちょうど合うため、選択された係止孔に横置きチューブにある係止ブロックを嵌め込むことが可能であることを特徴とするチューブ製組合せ式棚。
【請求項２】
　前記係止ブロックに形成された逆台形の寸法は、前記係止孔よりやや大きいことを特徴とする請求項１に記載のチューブ製組合せ式棚。
【請求項３】
　組合せ式ベッド棚の支持柱には、複数の係止孔が開けられており、前記係止孔の下半分は上方の幅が下方の幅よりも広い逆台形を呈し、係止ブロックの側面は前記係止孔の形状とちょうど合うため、選択された係止孔に矩形チューブにある係止ブロックを嵌め込んで組合わせることが可能であることを特徴とする請求項１に記載のチューブ製組合せ式棚。
【請求項４】
　前記矩形チューブの端部に設けたストリップは、その断面がＬ字形、またはＩ字形であることを特徴とする請求項３に記載のチューブ製組合せ式棚。
【考案の詳細な説明】
【技術分野】
【０００１】
　本考案は、チューブ製組合せ式棚に係り、特に、部材が係止することにより組合せられ、物置板の高さが調整でき、用途が極めて広汎なチューブ製組合せ式棚に関する。
【背景技術】
【０００２】
　図１は従来の物置棚の斜視図であり、図２は従来の物置棚の一部の分解拡大図である。従来の物置棚Ａの組合せ方法は、脚管Ａ１と物置板Ａ２との結合がねじＡ３によってロックして固定されるため、全体を組合せた後に物置板Ａ２が固定されるので、高さが調整できない。使用者は、物置板Ａ２の高さを調整しようとするときには、工具によって前記物置棚を分解してから、もう一度組合せなければ、物置板Ａ２の高さを調整できないので、手数がかなり掛かるほか、作業が極めて不便であった。
【０００３】
　図３は従来のベッド棚の斜視図であり、図４は従来のベッド棚の分解斜視図であり、図５は図３の一部の拡大斜視図である。従来のベッド棚Ｂは、スプリングマッドＢ１と、マッド置き板Ｂ２と、棚枠Ｂ３とから構成され、前記棚枠Ｂ３は複数の矩形チューブＢ３１と支持柱Ｂ３２とを溶接によって結合して構成されたものであり、スプリングマッドＢ１およびマッド置き板Ｂ２は前記棚枠Ｂ３の上に設置する。しかしながら、棚枠Ｂ３は溶接によって結合して構成されたものであるため、棚枠Ｂ３を運輸している過程中に、スペースがかなり掛かるので、運輸コストが無駄に増加する。
【考案の開示】
【考案が解決しようとする課題】
【０００４】
　これは次のような欠点があった。
　（イ）従来の物置棚によれば、使用者は、物置板Ａ２の高さを調整しようとするときには、工具によって前記物置棚を分解してから、もう一度組合せなければ、物置板Ａ２の高さを調整できないので、手数がかなり掛かるほか、作業が極めて不便であった。
【０００５】
　（ロ）従来のベッド棚によれば、棚枠Ｂ３は溶接によって結合されて構成されたものであるため、棚枠Ｂ３を運輸している過程中に、スペースがかなり掛かるので、運輸コストが無駄に増加する。
【課題を解決するための手段】
【０００６】
　上記欠点を解消するためになされた本考案の請求項１は、物置板を組合わせるための棚脚には物置板の高さを調整できるための複数の係止孔が開けられており、横置きチューブの端部に設けた係止ブロックが前記係止孔内に係止されるチューブ製組合せ式棚において、前記棚脚に開けた係止孔の下半分は上方の幅が下方の幅よりも広い逆台形を呈し、なお、係止ブロックの側面は前記係止孔の形状とちょうど合うため、選択された係止孔に横置きチューブにある係止ブロックを嵌め込むことができることを特徴とするチューブ製組合せ式棚であることを要旨としている。
【０００７】
　本考案の請求項２では、前記係止ブロックの形成された逆台形の寸法は前記前記係止孔よりやや大きいことを特徴とする請求項１に記載のチューブ製組合せ式棚であることを要旨としている。
【０００８】
　本考案の請求項３では、組合せ式ベッド棚の支持柱には複数の係止孔が開けられており、前記係止孔の下半分は上方の幅が下方の幅よりも広い逆台形を呈し、なお、係止ブロックの側面は前記係止孔の形状とちょうど合うため、選択された係止孔に矩形チューブにある係止ブロックを嵌め込んで組合わせることができることを特徴とする請求項１に記載のチューブ製組合せ式棚であることを要旨としている。
【０００９】
　本考案の請求項４では、前記矩形チューブの端部に設けたストリップはその断面がＬ字形でもいいし、Ｉ字形でもいいことを特徴とする請求項３に記載のチューブ製組合せ式棚であることを要旨としている。
【考案を実施するための最良の形態】
【００１０】
　添付の図面に合わせて、本考案の実施形態を詳細に説明する。
　図６は、本考案の一実施例によるチューブ製組合せ式棚の分解斜視図である。本考案の一実施例によるチューブ製組合せ式棚は、物置板３を組合わせるための棚脚２には物置板３の高さを調整できるための複数の係止孔４が開けられており、横置きチューブ５の端部に設けた係止ブロック６が前記係止孔４内に係止される。その主な特徴は、前記棚脚２に開けた係止孔４の下半分は上方の幅が下方の幅よりも広い逆台形を呈し、なお、係止ブロック６の側面は前記係止孔４の形状とちょうど合うため、選択された係止孔４に横置きチューブ５にある係止ブロック６を嵌め込むことができ、組立てが快速に完成できる効果を達成する。
【００１１】
　図７は図６の一部の拡大斜視図であり、図８は図６における連結部の組合せ方法を示す概略図であり、図９は本考案の一実施例の斜視図であり、図９Ａは図９におけるＡ−Ａ矢視の断面図である。
【００１２】
　使用者が物置棚１を組立てようとする場合には、横置きチューブ５の端部にある係止ブロック６を棚脚２に開けた係止孔４内に嵌め込むときに（図７と図８に示すように）、係止ブロック６の側面は前記係止孔４の形状とちょうど合うため、係止ブロック６はぴったりと係止孔４内に係止されて定位される（図９Ａに示すように）。本考案の物置棚（図９に示すように）は、快速に係止して組合せることができ、係止孔及び係止ブロックの設計によって、物置板の高さの調整も便利で快速にすることができる。
【００１３】
　図１０は本考案の一実施例の合併した状態を示す斜視図であり、図１０Ａは図９におけるＢ−Ｂ矢視の断面図である。
　本考案は、図１０に示すように、二つの物置棚を一体に合併することもできる。あれは、棚脚２の両側には多数の係止孔４が開けられており、これにより、横置きチューブ５の両端にある係止ブロック６を棚脚２の両側に開けた係止孔４内に嵌め込むことができる（図１０Ａに示すように）。係止孔及び係止ブロックの設計により、図１０に示すような物置棚は、快速に係止して組合せることができ、物置板の高さの調整も便利で快速にすることができる。
【００１４】
　図１１は本考案をベッド棚に適用する実施例の分解斜視図であり、図１１Ａは図１１の一部の拡大斜視図であり、図１２は図１１における部材を組合わせた状態の斜視図である。
【００１５】
　本考案のもう一用途はベッド棚に適用する。あれは、支持柱９には複数の係止孔４が開けられており、前記係止孔４の下半分は上方の幅が下方の幅よりも広い逆台形を呈する。矩形チューブ１０の両端にあるＩ字形断面を呈するストリップ１３に設けた係止ブロック６（図１１Ａに示すように）を前記係止孔４内に嵌め込む（図１１に示すように）と、棚枠８（図１２に示すように）の組立てが完成できる。使用者はベッドの高さを調整しようとする場合には、より高い箇所に位置する前記係止孔４に矩形チューブ１０にある係止ブロック６を移動すれば、マッド置き板の高さを調整する効果を達成することができる。
【００１６】
　図１３は本考案のもう一つの実施例のベッド棚の分解斜視図であり、図１３Ａは図１１の一部の拡大斜視図であり、図１４は図１３における部材を組合わせた状態の斜視図である。
【００１７】
　本考案の実施例に係る矩形チューブ１０は、その端部にあるストリップ１３の断面はＬ字形を呈してもいい。また、前記ストリップ１３には、図１３Ａに示すように、複数の係止ブロック６が設けられており、その係止孔及び係止ブロックの設計により、図１３に示すようなベッド棚は、快速に係止して組合せることができ、物置板の高さの調整も便利で快速にすることができる。そのＬ字形断面の設計により、支持力を強化する効果があり、且つ定位効果も良くなる。
【００１８】
　図１５は本考案のもう一つの実施例に係るベッド棚の分解斜視図であり、図１６は本考案のもう一つの実施例に係るベッド棚の連結部の組合せ方法を示す概略図であり、図１６Ａは図１６の一部の拡大斜視図である。
【００１９】
　使用者はベッド７を組立てようとする場合には、支持柱９に開けた係止孔４に矩形チューブ１０に設けた係止ブロック６を嵌め込むと、棚枠８が構成され、また、前記棚枠８の上にマッド置き板１１とスプリングマッド１２とを順序に放置すると（図１５に示すように）、ベッド７が構成される（図１６に示すように）。使用者は、マッド置き板１１の高さを調整しようとする場合には、より高い箇所に位置する前記係止孔４に矩形チューブ１０にある係止ブロック６を移動すれば（図１６Ａに示すように）、マッド置き板の高さを調整する効果を達成することができる。
【００２０】
　図１７は本考案のもう一つの実施例のベッド棚の合併した状態を示す斜視図であり、図１８は図１７の一部の分解斜視図である。
　本考案は、図１７に示すように、二つのベッド棚を一体に合併することもできる。あれは、支持柱９の周面には多数の係止孔４が開けられており（図１８に示すように）、これにより、矩形チューブ１０にある係止ブロック６を支持柱９に開けた係止孔４内に嵌め込んで、棚枠８を組立てることができる。係止孔及び係止ブロックの設計により、図１７に示すようなベッド棚は、快速に係止して組合せることができ、物置板の高さの調整も便利で快速にすることができる。
【００２１】
　本考案によれば、次のような効果がある。
　（イ）本考案の組み立ては、係止ブロックを係止孔内に嵌め込むことによって実施するため、物置棚またはベッド棚への適用は、その物置板またはマッド置き板の高さの調整が便利で快速にすることができる。
　（ロ）本考案に係るチューブ製組合せ式棚は、分解した状態で運輸できるため、運輸の過程中にスペースを大きく占めないので、運輸コストを大幅に低減することができる。
【図面の簡単な説明】
【００２２】
【図１】従来の物置棚の斜視図である。
【図２】従来の物置棚の一部の分解拡大図である。
【図３】従来のベッド棚の斜視図である。
【図４】従来のベッド棚の分解斜視図である。
【図５】図３の一部の拡大斜視図である。
【図６】本考案の一実施例によるチューブ製組合せ式棚の分解斜視図である。
【図７】図６の一部の拡大斜視図である。
【図８】図６における連結部の組合せ方法を示す概略図である。
【図９】本考案の一実施例によるチューブ製組合せ式棚の斜視図である。
【図９Ａ】図９におけるＡ−Ａ矢視で切断した断面図である。
【図１０】本考案の一実施例によるチューブ製組合せ式棚の合併した状態を示す斜視図である。
【図１０Ａ】図９におけるＢ−Ｂ矢視で切断した断面図である。
【図１１】本考案をベッド棚に適用する実施例の分解斜視図である。
【図１１Ａ】図１１の一部の拡大斜視図である。
【図１２】図１１における部材を組合わせた状態の斜視図である。
【図１３】本考案のもう一つの実施例によるチューブ製組合せ式棚のベッド棚の分解斜視図である。
【図１３Ａ】図１１の一部の拡大斜視図である。
【図１４】図１３における部材を組合わせた状態の斜視図である。
【図１５】本考案のもう一つの実施例によるチューブ製組合せ式棚のベッド棚の分解斜視図である。
【図１６】本考案のもう一つの実施例によるチューブ製組合せ式棚のベッド棚の連結部の組合せ方法を示す概略図である。
【図１６Ａ】図１６の一部の拡大斜視図である。
【図１７】本考案のもう一つの実施例によるチューブ製組合せ式棚のベッド棚の合併した状態を示す斜視図である。
【図１８】図１７の一部の分解斜視図である。
【符号の説明】
【００２３】
　１　物置棚、２　棚脚、３　物置板、４　係止孔、５　横置きチューブ、６　係止ブロック、７　ベッド、８　棚枠、９　支持柱、１０　矩形チューブ、１１　マッド置き板、１２　スプリングマッド、１３　ストリップ
【図１】
0003100584.tif 000003
【図２】
0003100584.tif 000004
【図３】
0003100584.tif 000005
【図４】
0003100584.tif 000006
【図５】
0003100584.tif 000007
【図６】
0003100584.tif 000008
【図７】
0003100584.tif 000009
【図８】
0003100584.tif 000010
【図９】
0003100584.tif 000011
【図９Ａ】
0003100584.tif 000012
【図１０】
0003100584.tif 000013
【図１０Ａ】
0003100584.tif 000014
【図１１】
0003100584.tif 000015
【図１１Ａ】
0003100584.tif 000016
【図１２】
0003100584.tif 000017
【図１３】
0003100584.tif 000018
【図１３Ａ】
0003100584.tif 000019
【図１４】
0003100584.tif 000020
【図１５】
0003100584.tif 000021
【図１６】
0003100584.tif 000022
【図１６Ａ】
0003100584.tif 000023
【図１７】
0003100584.tif 000024
【図１８】
0003100584.tif 000025